(57)【要約】【課題】洗濯機の底板に設けた電極により水漏れを検知する回路において、寒冷地においても誤動作の発生がない水漏れ検知方式を有する洗濯機を実現すること。【解決手段】磁気結合回路１４の近傍のプリント配線板にサーミスタ３２を設け磁気結合回路１４の雰囲気温度を検出して水漏れ検知の値を基準値から補正することにより、誤検知を未然に防ぎ、検知レベルの閾値の設定により水漏れが発生した場合にも迅速に制御が可能である。【選択図】図１
2011182951.tif 000002
【特許請求の範囲】
【請求項１】
洗濯機の底板から所定の距離に配置した一対の電極と、フェライトからなる磁気結合回路と、前記磁気結合回路の１次コイルに抵抗を介して接続した交流信号源と、前記磁気結合回路の１次コイルに接続した第１の整流平滑回路と、前記磁気結合回路の２次コイルに接続した倍電圧整流回路からなる第２の整流平滑回路と、前記第２の整流平滑回路の出力を電源とし、前記電極を入力端子としこの間の抵抗に流れる電流を信号源電流としてその電流を増幅して前記電源電流を流す電流増幅回路と、前記磁気結合回路のフェライトの温度を検出するためのサーミスタとを備え、前記サーミスタが検出する温度によって水漏れと判定するときの判定値を変化させるようにした洗濯機。
【発明の詳細な説明】
【技術分野】
【０００１】
本発明は、洗濯機内部の底面に配置した電極により水漏れを検知して、給水弁や排水弁を制御する構成とした水漏れ検知回路を搭載した洗濯機に関するものである。
【背景技術】
【０００２】
従来、水の検知は食器洗い器の図３に示すように構成していた。以下、その構成について説明する。（例えば、特許文献１参照）。
【０００３】
図３に示すように洗浄槽１１の底面から所定の距離に配置した一対の電極１２、１３と磁気結合回路１４と磁気結合回路１４の１次コイル１４ａに抵抗１５を介して接続した交流信号源１６と、磁気結合回路１４の１次コイル１４ａに接続した第１の整流平滑回路１７と、磁気結合回路１４の２次コイル１４ｂに接続した倍電圧整流平滑回路からなる第２の整流平滑回路１８と、第２の整流平滑回路１８の出力を電源とし、電極１２、１３を入力端子としこの間の抵抗に流れる電流を信号源電流としてその電流を増幅する電流増幅回路１９により電源電流を流すようにし、第１の整流平滑回路１７の出力電圧の変化にもとづいて水位を判定する判定回路２０の出力により、洗浄槽１１に給水する給水弁２１および洗浄槽１１の水を排出する排水装置２２の動作を制御するように構成されていた。
【先行技術文献】
【特許文献】
【０００４】
【特許文献１】特開２００１−０６１７５１号公報
【発明の概要】
【発明が解決しようとする課題】
【０００５】
しかしながら、このような従来の水位検知の構成では、磁気結合回路に使用されているフェライトに温度依存性能があり、低温でインダクタンスの値が急激に小さくなり、そのバラツキも大きく一様ではない。
【０００６】
また、電極が空中にさらされている状態で、入力端子の抵抗値に変化がない場合でも第１の整流平滑回路の出力電圧が低下し、誤検知の発生の可能性があるという課題があった。
【０００７】
本発明は、上記従来の課題を解決するもので、食器洗い器のように室内で使用することが多い場合に比べ、洗濯機のように寒冷地で屋外に設置される場合においても、的確な水漏れ検知が可能な検知回路を有する洗濯機を提供することを目的としている。
【課題を解決するための手段】
【０００８】
本発明は上記目的を達成するために、洗濯機の底板から所定の距離に配置した一対の電極と、フェライトからなる磁気結合回路と、前記磁気結合回路の１次コイルに抵抗を介して接続した交流信号源と、前記磁気結合回路の１次コイルに接続した第１の整流平滑回路と、前記磁気結合回路の２次コイルに接続した倍電圧整流回路からなる第２の整流平滑回路と、前記第２の整流平滑回路の出力を電源とし、前記電極を入力端子としこの間の抵抗に流れる電流を信号源電流としてその電流を増幅して前記電源電流を流す電流増幅回路と、前記磁気結合回路のフェライトの温度を検出するためのサーミスタとを備え、前記サーミスタが検出する温度によって水漏れと判定するときの判定値を変化させるようにした洗濯機である。
【０００９】
これにより、冷地においても、磁気結合回路の雰囲気温度をサーミスタで検出できるため、温度に応じて水漏れ判定の値を設定できるため、使用者側に安全な洗濯機を提供することができる。
【発明の効果】
【００１０】
本発明の洗濯機は、寒冷地においても、磁気結合回路の雰囲気温度をサーミスタで検出できるため、温度に応じて水漏れ判定の値を設定できるため、使用者側に安全な洗濯機を提供することができる。
【図面の簡単な説明】
【００１１】
【図１】本発明の実施の形態１における洗濯機の水漏れ検知回路の回路構成図
【図２】水漏れ信号の温度カーブを示すグラフ
【図３】従来の水漏れ検知回路を示す回路構成図
【発明を実施するための形態】
【００１２】
第１の発明は、洗濯機の底板から所定の距離に配置した一対の電極と、フェライトからなる磁気結合回路と、前記磁気結合回路の１次コイルに抵抗を介して接続した交流信号源と、前記磁気結合回路の１次コイルに接続した第１の整流平滑回路と、前記磁気結合回路の２次コイルに接続した倍電圧整流回路からなる第２の整流平滑回路と、前記第２の整流平滑回路の出力を電源とし、前記電極を入力端子としこの間の抵抗に流れる電流を信号源電流としてその電流を増幅して前記電源電流を流す電流増幅回路と、前記磁気結合回路のフェライトの温度を検出するためのサーミスタとを備え、前記サーミスタが検出する温度によって水漏れと判定するときの判定値を変化させることにより、寒冷地においても的確に水漏れ判定を行うことができ水漏れによる異常に対処することができる。
【００１３】
以下、本発明の実施の形態について、図面を参照しながら説明する。なお、従来例と同じ構成のものは同一符号を付して説明を省略する。また、この実施の形態によって本発明が限定されるものではない。
【００１４】
（実施の形態１）
図１は本発明の実施の形態１における洗濯機の水漏れ検知の構成図を示す。
【００１５】
図１において、洗濯機の底板３１から所定の位置に配置した一対の電極１２，１３と磁気結合回路１４と、フェライトからなる磁気結合回路１４の１次コイル１４ａに抵抗１５を介して接続した交流信号源１６と、磁気結合回路１４の１次コイルに接続した第１の整流平滑回路１７と、磁気結合回路１４の２次コイル１４ｂに接続した倍電圧整流回路からなる第２の整流平滑回路１８と、第２の整流平滑出力を電源とし、電極１２、１３を入力端子としこの間の抵抗に流れる電流を増幅して電源電流を流す電流増幅回路１９と、電極１２、１３に発生する抵抗値により生ずる第１の整流平滑回路１７の出力電圧（以後、水漏れ信号と呼ぶ）の変化にもとづいて水漏れ判定を行うためのマイコン３０の水漏れ信号Ａ／Ｄポート３１に接続されている。
【００１６】
磁気結合回路１４の近傍のプリント配線板上にはサーミスタ３２を配置して直流電源ＶＤに接続され、サーミスタ３２と抵抗３３の分割電圧をマイコン３０のサーミスタＡ／Ｄポート３４に接続している。サーミスタ３２からの温度情報から水漏れ検知レベルが逐次設定され、第１の整流平滑回路１７の出力に接続された水漏れ信号Ａ／Ｄポート３１に入力される水漏れ信号の電圧の値により水漏れを判断し、給水弁駆動信号３５や排水弁駆動信号３６により、水漏れと判断した場合には、給水弁を動作させて給水を停止し、排水弁を開放して排水させる制御が行われる。
【００１７】
図２は水漏れ信号電圧の空気中の温度変化を表す。常温２５℃から温度が低くなるにしたがい、水漏れ信号電圧の低下度合いが大きくなる。基準値は磁気結合回路のばらつきの平均値が選ばれ、各温度の水漏れ信号電圧値を記憶するか、簡単な式を用いて計算される所定の電圧値である。
【００１８】
温度Ｔ１（約２８度）において、基準値との水漏れ信号との差が補正値Ｖｃとしてマイコン３０内のメモリに記憶されている。温度Ｔ２（約−８度）では基準値がＴ１に比べて低くなっており、Ｔ２の基準値に補正値Ｖｃを加算した値がＴ２温度での水漏れ信号電圧として認識される。
【００１９】
温度Ｔ１で水漏れが発生すると、底板３７に配置した電極１２、１３間が水に浸り、電極間の抵抗値が下がり電流が流れそれに従って水漏れ信号の電圧が低くなる。
【００２０】
水漏れの判定はＴ１での水漏れ信号電圧からΔＶ下がった時点で行われる。これはＴ２の温度においても同じである。ΔＶは閾値でノイズ等により誤判定が発生しない値に設定され、検知時間を早めるためにもできるかぎり小さい値が望ましい。
【００２１】
上記構成によれば、洗濯機を寒冷地の屋外に設置された場合においても磁気結合回路の雰囲気温度を測定して水漏れと判定する値を温度に合わせた値に設定しているため従来のように水漏れがない水漏れ信号の電圧低下により誤検知することがなく、また閾値ΔＶの設定で検知速度が速くなり、水漏れが発生した場合においても機敏な制御で安全を確保できる。
【産業上の利用可能性】
【００２２】
以上のように、本発明にかかる洗濯機の水漏れ検知回路は、磁気結合回路の雰囲気温度を測定して温度に合わせた水漏れ検知の値を設定することが可能となるので、洗濯機のみならず、寒冷地で使用されうる他の水漏れ検知を必要とする装置においても有用である。
【符号の説明】
【００２３】
１２、１３  電極
１４  磁気結合回路
１７  第１の整流平滑回路
１８  第２の整流平滑回路
１９  電流増幅回路
３２  サーミスタ
３７  底板
【図１】
2011182951.tif 000003
【図２】
2011182951.tif 000004
【図３】
2011182951.tif 000005